(57)【要約】      （修正有）【課題】長さを短く、厚さを薄くすることができる開閉装置を提供する。【解決手段】第１筐体と第２筐体とを互いに重ね合わせた状態で相対的に長手方向にスライドさせ、第１筐体の上面を第２筐体の下面で覆う閉成状態と第１筐体の上面を露出させる開成状態とを形成する携帯機器であって、湾曲凹面と湾曲凸面とが重なった状態でその長手方向に互い側面視湾曲状にスライドする手段と、第１筐体に固着され、長手方向に貫通するガイド溝を２つ有するベース部材、ガイド溝にスライド係合すると共に第２筐体に係合するスライダー部材、ベース部材と第１筐体との間に設けられ、一端部がベース部材に連結され、他端部がスライダー部材に連結され、このスライダー部材をベース部材に対して所定の開閉位置から閉成方向又は開成方向にスライド付勢する手段を有するセミオート手段とを備えた。【選択図】図２
2007104144.tif 000002
【特許請求の範囲】
【請求項１】
第１筐体と第２筐体とを互いに重ね合わせた状態で相対的に長手方向にスライドさせて、前記第１筐体及び前記第２筐体のいずれか一方の筐体の上面を前記第１筐体及び前記第２筐体のいずれか他方の筐体の下面で覆う閉成状態と前記一方の筐体の上面を露出させる開成状態とを形成するようにした携帯機器に用いるものであって、
前記一方の筐体の上面を、その長手方向に凹状に湾曲させて湾曲凹面として形成すると共に、前記他方の筐体の下面を、前記湾曲凹面と嵌合する湾曲凸面として形成し、かつ、これら一方の筐体の湾曲凹面と他方の筐体の湾曲凸面とが互いに重なった状態でその長手方向にこれら面に沿って前記第１筐体と前記第２筐体とを互い側面視湾曲状にスライドするスライド手段と、
前記第１筐体及び前記第２筐体のいずれか一方の筐体に固着され、前記長手方向に貫通するガイド溝を１つ又は２つ以上有するベース部材、前記ガイド溝にスライド係合すると共に前記第１筐体及び前記第２筐体のいずれか他方の筐体に係合するスライダー部材、前記ベース部材と前記一方の筐体との間に設けられ、一端部が前記ベース部材に連結されると共に他端部が前記スライダー部材に連結され、このスライダー部材を前記ベース部材に対して所定の開閉位置から閉成方向又は開成方向にスライド付勢する付勢手段を有するセミオート手段とを備えたことを特徴とする、開閉装置。
【請求項２】
前記ガイド溝が、前記ベース部材に２つ設けられ、前記スライダー部材が、前記２つのガイド溝にそれぞれ個別に係合する２つのスライダーピンを有し、前記付勢手段が、一端部が前記スライダーピンにそれぞれ個別に枢支されると共に他端部が前記ベース部材に枢支される２つのスプリングからなることを特徴とする、請求項１に記載の開閉装置。
【請求項３】
前記付勢手段を、前記一方の筐体の厚さ方向の長さより幅方向の寸法の長さの方を長く形成してこの幅方向の付勢力を強くするように構成したことを特徴とする、請求項１又は２に記載の開閉装置。
【請求項４】
前記スライド手段が、前記一方の筐体の湾曲凹面にその長手方向に延びて設けられている第１スライド案内溝と、この第１スライド案内溝とスライド係合し、前記他方の筐体の湾曲凸面に設けられ、かつ、前記スライダー部材と係合してこのスライダー部材と共に前記湾曲凸面を有する他方の筐体を前記湾曲凹面を有する一方の筐体に対してスライド移動させる第１スライドピンと、前記他方の筐体の湾曲凸面にその長手方向に延びて設けられている第２スライド案内溝と、この第２スライド案内溝とスライド係合し、前記一方の筐体の湾曲凹面に設けられる第２スライドピンとを備えたことを特徴とする、請求項１〜３のいずれか１項に記載の開閉装置。
【請求項５】
前記ベース部材が、矩形平板状に形成され、このベース部材の両側部近傍に前記ガイド溝がそれぞれ設けられ、前記スライダー部材が、前記２つのガイド溝にそれぞれ個別に貫通した状態で係合する２つのスライダーピンと、これらスライダーピンの他端部に連結され、これらスライダーピン間の外周にローラ部材が回転可能に設けられていると共に、前記ベース部材の幅方向に延びるコネクションロッドとを有し、前記付勢手段が、一端部が前記スライダーピンの他端部にそれぞれ個別に枢支されると共に他端部が前記ベース部材の略中央部に枢支される２つのスプリングからなり、前記スライド手段が、前記一方の筐体の湾曲凹面の両側部近傍にその長手方向に延びてそれぞれ設けられている２つの第１スライド案内溝と、これら第１スライド案内溝とスライド係合し、前記他方の筐体の湾曲凸面に設けられ、かつ、前記コネクションロッドの両端部と係合してこのスライダー部材と共に前記湾曲凸面を有する他方の筐体を前記湾曲凹面を有する一方の筐体に対してスライド移動させるロッド係合溝を有する第１スライドピンとを備えたことを特徴とする、請求項１〜４のいずれか１項に記載の開閉装置。
【発明の詳細な説明】
【技術分野】
【０００１】
本発明は、例えば携帯電話機のような携帯機器を構成する第１筐体と第２筐体を互いに重ね合わせた状態で相対的に長手方向に開閉可能にスライドさせる際に用いて好適な開閉装置に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が重なり合って第２筐体で第１筐体の上面を覆う閉成状態と、第２筐体を第１筐体に対して長手方向へスライドさせて第１筐体の上面を露出させる開成状態とを作り出す、開閉装置付きのものが市場に出回っている。このような携帯電話機の開閉装置としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体の相対的操作、即ち、スライド操作は全て手動で行わなくてはならず、操作性の点で難点があった。このため、本出願人は先に、半自動でスライド操作を行えるスライド機構を備えた開閉装置を提案した。
【０００４】
この開閉装置は、例えば、第１筐体の上面に取り付けられるベース部材と、このベース部材に摺動可能に係合されたスライダーと、ベース部材とスライダーとの間に設けられ、スライダーをベース部材に対する所定の摺動位置から閉成方向及び又は開成方向へ摺動付勢させる付勢手段とで構成されており、スライダーがベース部材に対する所定の摺動位置から閉成方向又は開成方向へ摺動付勢されるので、第１筐体と第２筐体を相対的な所定のスライド位置から自動的に開閉できるものである。
【０００５】
この開閉装置を有する携帯電話機では、ベース部材が取り付けられている第１筐体の上面が平面状に形成されていると共にスライダーが取り付けられている第２筐体の下面が平面状に形成され、その第１筐体の上面に沿って第２筐体の下面が長手方向に側面視直線状つまり平行にスライド移動する。その結果、この携帯電話機を開成状態で使用する場合、使用し難く使い勝手が悪いことがあった。すなわち、開成状態時、第１筐体の上面と第２筐体の下面とが略同一平面上に位置されているために、例えば、第１筐体の上面の後端部近傍にマイク部が設けられていると共に、第２筐体の下面の前端部近傍にスピーカー部が設けられているので、通話を行うときには、第１筐体のマイク部を口元に、第２筐体のスピーカー部を耳元に近づけることができなかった。また、第２筐体の上面のディスプレイ部に表示された画像を見ながら第１筐体のキーボード部の操作がし難いことがあり、使い勝手が悪かった。
【０００６】
また、前述の開閉装置においてベース部材の両側部にスライダーの両側部をスライド係合させるために、スライダーの長さ（スライド方向の長さ）が長くなる。すなわち、スライダーの幅は、ベース部材の幅と略同じであるので、強度を確保するためには、スライダーの長さを長くする必要がある。このように、スライダーの長さが長くなると、ベース部材の長さ（スライド方向の長さ）も長くなって全体的に長さが長くなる。
【０００７】
また、付勢手段は、ベース部材とスライダーの間に設けられている。すなわち、付勢手段は、ベース部材とスライダーとで挟持されているために、ベース部材とスライダーが互いにスライドするときに、付勢手段がベース部材やスライダーに接触しないように、ベース部材と付勢手段の間及びスライダーと付勢手段の間のクリアランスが多くなる。その結果、スライド機構としての全体的な厚さが厚くなる。
【０００８】
本発明は、前記課題を解決するためになされたものであって、その目的は、使い勝手が向上する上に、全体的な長さを短くできると共にその厚さを薄くすることができる開閉装置を提供することにある。
【課題を解決するための手段】
【０００９】
前記の目的を達成するための本発明に係る開閉装置は、第１筐体と第２筐体とを互いに重ね合わせた状態で相対的に長手方向にスライドさせて、前記第１筐体及び前記第２筐体のいずれか一方の筐体の上面を前記第１筐体及び前記第２筐体のいずれか他方の筐体の下面で覆う閉成状態と前記一方の筐体の上面を露出させる開成状態とを形成するようにした携帯機器に用いるものであって、前記一方の筐体の上面を、その長手方向に凹状に湾曲させて湾曲凹面として形成すると共に、前記他方の筐体の下面を、前記湾曲凹面と嵌合する湾曲凸面として形成し、かつ、これら一方の筐体の湾曲凹面と他方の筐体の湾曲凸面とが互いに重なった状態でその長手方向にこれら面に沿って前記第１筐体と前記第２筐体とを互い側面視湾曲状にスライドするスライド手段と、前記第１筐体及び前記第２筐体のいずれか一方の筐体に固着され、前記長手方向に貫通するガイド溝を１つ又は２つ以上有するベース部材、前記ガイド溝にスライド係合すると共に前記第１筐体及び前記第２筐体のいずれか他方の筐体に係合するスライダー部材、前記ベース部材と前記一方の筐体との間に設けられ、一端部が前記ベース部材に連結されると共に他端部が前記スライダー部材に連結され、このスライダー部材を前記ベース部材に対して所定の開閉位置から閉成方向又は開成方向にスライド付勢する付勢手段を有するセミオート手段とを備えたことを特徴とする。
【００１０】
この発明によれば、一方の筐体の上面を湾曲凹面として形成すると共に他方の筐体の下面を湾曲凸面として形成し、これら一方の筐体の湾曲凹面と他方の筐体の湾曲凸面とが互いに重なった状態でその長手方向にこれら面に沿って側面視湾曲状にスライドすることにより、開成状態では、全体が湾曲状態となる。このため、本発明に係る開閉装置を携帯電話機の開閉装置として使用する場合には、例えば、一方の筐体の上面の後端部近傍にマイク部が設けられていると共に、他方の筐体の上面の前端部近傍にスピーカー部が設けられているために、通話を行うときには、一方の筐体のマイク部を口元に、他方の筐体のスピーカー部を耳元に近づけることができる。また、他方の筐体の上面にディスプレイ部が設けられていると共に、一方の筐体の上面にキーボード部が設けられているために、ディスプレイ部に表示された画像を見ながらキーボード部の操作がし易くなり、使い勝手が向上する。また、ベース部材と一方の筐体との間に付勢手段を設けたことにより、ベース部材とスライダーとが互いにスライドするとき、ベース部材と付勢手段の間のクリアランスのみを設ければよいので、全体的な厚さを薄くすることができる。
【００１１】
本発明に係る開閉装置において、前記ガイド溝が、前記ベース部材に２つ設けられ、前記スライダー部材が、前記２つのガイド溝にそれぞれ個別に係合する２つのスライダーピンを有し、前記付勢手段が、一端部が前記スライダーピンにそれぞれ個別に枢支されると共に他端部が前記ベース部材に枢支される２つのスプリングからなることが好ましい。この発明によれば、スライダー部材が、２つのガイド溝にそれぞれ個別に係合する２つのスライダーピンを有しているために、スライダー部材の幅を短くすることができるので、スライダー部材の長さ（スライド方向の長さ）を短くすることができ、全体的な長さを短くできる。
【００１２】
また、本発明に係る開閉装置において、前記付勢手段を、前記一方の筐体の厚さ方向の長さより幅方向の寸法の長さの方を長く形成してこの幅方向の付勢力を強くするように構成することが好ましい。また、本発明に係る開閉装置において、前記スライド手段が、前記一方の筐体の湾曲凹面にその長手方向に延びて設けられている第１スライド案内溝と、この第１スライド案内溝とスライド係合し、前記他方の筐体の湾曲凸面に設けられ、かつ、前記スライダー部材と係合してこのスライダー部材と共に前記湾曲凸面を有する他方の筐体を前記湾曲凹面を有する一方の筐体に対してスライド移動させる第１スライドピンと、前記他方の筐体の湾曲凸面にその長手方向に延びて設けられている第２スライド案内溝と、この第２スライド案内溝とスライド係合し、前記一方の筐体の湾曲凹面に設けられる第２スライドピンとを備えることが好ましい。また、本発明に係る開閉装置において、前記ベース部材が、矩形平板状に形成され、このベース部材の両側部近傍に前記ガイド溝がそれぞれ設けられ、前記スライダー部材が、前記２つのガイド溝にそれぞれ個別に貫通した状態で係合する２つのスライダーピンと、これらスライダーピンの他端部に連結され、これらスライダーピン間の外周にローラ部材が回転可能に設けられていると共に、前記ベース部材の幅方向に延びるコネクションロッドとを有し、前記付勢手段が、一端部が前記スライダーピンの他端部にそれぞれ個別に枢支されると共に他端部が前記ベース部材の略中央部に枢支される２つのスプリングからなり、前記スライド手段が、前記一方の筐体の湾曲凹面の両側部近傍にその長手方向に延びてそれぞれ設けられている２つの第１スライド案内溝と、これら第１スライド案内溝とスライド係合し、前記他方の筐体の湾曲凸面に設けられ、かつ、前記コネクションロッドの両端部と係合してこのスライダー部材と共に前記湾曲凸面を有する他方の筐体を前記湾曲凹面を有する一方の筐体に対してスライド移動させるロッド係合溝を有する第１スライドピンとを備えることが好ましい。
【発明の効果】
【００１３】
以上説明したように本発明に係る開閉装置によれば、一方の筐体の上面を湾曲凹面として形成すると共に他方の筐体の下面を湾曲凸面として形成し、これら一方の筐体の湾曲凹面と他方の筐体の湾曲凸面とが互いに重なった状態でその長手方向にこれら面に沿って側面視湾曲状にスライドするスライド手段を備えたので、使い勝手が向上する。また、ベース部材と一方の筐体との間に付勢手段を設けたので、全体的な厚さを薄くすることができ、かつ、スライダー部材がガイド溝にそれぞれ個別に係合する２つのスライダーピンを有するので、全体的な長さを短くすることができる。
【発明を実施するための最良の形態】
【００１４】
以下、本発明に係る携帯機器に用いて好適な開閉装置の一例を添付図面に基づいて詳述する。
【００１５】
図１〜図５は本発明に係る開閉装置を用いた携帯機器の一例を示す図である。本発明に係る開閉装置を用いた携帯機器は、図１〜図５に示すように、第１筐体２と第２筐体３を互いに重ね合わせた状態で相対的に長手方向に開閉可能にスライドさせて、第１筐体２及び第２筐体３のいずれか一方の筐体例えば第１筐体２の上面を第１筐体２及び前記第２筐体３のいずれか他方の筐体例えば第２筐体３の下面で覆う閉成状態（図１（ａ）、図２（ａ）及び図３（ａ）参照。）と、第１筐体２の上面を露出させる開成状態（図１（ｂ）、図２（ｃ）及び図３（ｃ）参照。）とを形成するものである。
【００１６】
この本発明に係る開閉装置Ａを用いた携帯機器は、第１筐体２の上面をその長手方向に凹状に湾曲させて湾曲凹面４１として形成すると共に、第２筐体３の下面を湾曲凹面４１と嵌合する湾曲凸面４２として形成し、かつ、これら湾曲凹面４１と湾曲凸面４２とが互いに重なった状態でその長手方向にこれら面に沿って第１筐体２と第２筐体３とが側面視湾曲状にスライドするスライド手段４と、第１筐体２及び第２筐体３のいずれか一方の筐体例えば第１筐体２に固着され、長手方向に貫通するガイド溝６を１つ又は２つ以上有するベース部材７、ガイド溝６にスライド係合すると共に第１筐体２及び第２筐体３のいずれか他方の筐体例えば第２筐体３に係合するスライダー部材８、ベース部材７と第１筐体２との間に設けられ、一端部がベース部材７に連結されると共に他端部がスライダー部材８に連結され、このスライダー部材８をベース部材７に対して所定の開閉位置から閉成方向又は開成方向にスライド付勢する付勢手段９を有するセミオート手段５とを備えたことに特徴がある。
【００１７】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１について説明するが、これに限定されるものではない。
【００１８】
この携帯電話機１は、第１筐体２と第２筐体３とが互いに重ね合わされた閉成状態から例えば第１筐体２に対して第２筐体３をその長手方向に相対的にスライド移動可能に第１筐体２と第２筐体３とがスライド手段４を介して連結されて構成されている。すなわち、この携帯電話機１は、第１筐体２の上面に第２筐体３の下面が互いに重ね合わされてキーボード部（図示せず）等を閉塞すると共に、第１筐体２の上面から第２筐体３の下面がスライド移動してキーボード部等を露出させることができるようになっている。
【００１９】
本発明に係る開閉装置Ａを構成するスライド手段４は、第１筐体２の上面をその長手方向に凹状に湾曲させて湾曲凹面４１として形成すると共に、第２筐体３の下面を湾曲凹面４１と嵌合する湾曲凸面４２として形成し、かつ、これら湾曲凹面４１と湾曲凸面４２とが互いに重なった状態でその長手方向にこれら面に沿って第１筐体２と第２筐体３とを側面視湾曲状にスライドさせるように構成されている。このスライド手段４は、第１筐体２の上面にその長手方向に延びて設けられている第１スライド案内溝４３と、この第１スライド案内溝４３とスライド係合し、第２筐体３の下面に設けられ、かつ、スライダー部材８と係合してこのスライダー部材８と共に第２筐体３を第１筐体２に対してスライド移動させる第１スライドピン４４と、第２筐体３の下面にその長手方向に延びて設けられている第２スライド案内溝４５と、この第２スライド案内溝４５とスライド係合し、第１筐体２の上面に設けられる第２スライドピン４６とを備えることが好ましい。
【００２０】
第１筐体２は、携帯電話機１の送話部を構成するものであり、キーボード部（図示せず）やマイク部（図示せず）等を上面に有している。そのマイク部は、例えば、第１筐体２の上面の後端部近傍に設けられている。第１筐体２は、細長の略矩形状に形成されている。第１筐体２は、例えば、厚さ方向に２つに分割された第１リア筐体２１と第１フロント筐体２２とからなることが好ましい。これら第１リア筐体２１と第１フロント筐体２２とは、例えばネジ止めされて第１筐体２が組み付けられる。第１リア筐体２１は、細長の略矩形状に形成されている。第１リア筐体２１の下面（第１筐体２の下面）は、平面状に形成されている。第１リア筐体２１の上面は、その中央部から前端部近傍までの箇所が若干傾斜されて形成されている。
【００２１】
第１フロント筐体２２は、図４、図５及び図７に示すように、細長の略矩形状に形成されている。第１フロント筐体２２の下面は、第１リア筐体２１の上面と嵌合し得るようにその中央部から前端部近傍までの箇所が若干傾斜されて形成されている。第１フロント筐体２２の上面（第１筐体２の上面）の後端部から前端部近傍までの箇所は、その長手方向に凹状に湾曲させて湾曲凹面４１として形成されている。この湾曲凹面４１の曲率半径（Ｒ）は、開成状態において通話を行うときに、第１筐体２の上面の後端部近傍に設けられているマイク部を口元に、第２筐体３の上面の前端部近傍に設けられているスピーカー部（図示せず）を耳元に近づけることができると共に、第２筐体３の上面に設けられているディスプレイ部に表示された画像を見ながら第１筐体２の上面に設けられているキーボード部の操作がし易くなる範囲から任意に選定される。
【００２２】
また、第１フロント筐体２２の略中央部より後端部近傍までの箇所には、キーパッド２４を装着する略十字状のキーパッド装着部２３が貫通されて設けられている。キーパッド２４の表面（上面）には、例えば、キーボード部やマイク部等が設けられる。第１フロント筐体２２の下面であって略中央部から前端部近傍まで及び両端部近傍までの箇所には、略矩形状の凹部２５が設けられている。この凹部２５の底面は、凹部２５の長手方向の略中央部に対向する湾曲凹面４１の接線と略平行に形成されている。この凹部２５の両側部には、両側部に沿ってその長手方向に延びる第１スライド案内溝４３が貫通して設けられている。この第１スライド案内溝４３の第１フロント筐体２２の上面側には、第１スライド片４３ａが設けられている。この第１スライド片４３ａの凹部２５側は、湾曲凹面４１に沿って設けられている。凹部２５内の先端部側の端部近傍であって両第１スライド案内溝４３の近傍には、第２スライドピン４６を取り付けるための第２取付孔２８がそれぞれ設けられている。この第２取付孔２８の湾曲凹面４１側は、円筒状に突出して突出部２８ａとして形成されている。この凹部２５内の２つの第２取付孔２８の間がベース部材７を装着するためのベース部材装着凹部２５ａとして形成されている。
【００２３】
第２筐体３は、携帯電話機１の受話部を構成するものであり、ＬＣＤなどのディスプレイ部３ａ、スピーカー部、カメラ部（図示せず）等を上面に有している。そのスピーカー部は、例えば、第２筐体３の上面の先端部近傍に設けられている。第２筐体３は、第１筐体２と略同じ細長の略矩形状に形成されている。第２筐体３は、例えば、厚さ方向に２つに分割された第２リア筐体３１と第２フロント筐体３２とからなることが好ましい。これら第２リア筐体３１と第２フロント筐体３２とは、例えばネジ止めされて第２筐体３が組み付けられる。
【００２４】
第２フロント筐体３２は、細長の略矩形状に形成されている。第２フロント筐体３２の上面（第１筐体２の上面）は、平面状に形成されており、閉成状態にあって第２フロント筐体３２の上面と第２リア筐体３１の下面とが略平行になるようになっている。第２フロント筐体３２の下面は、平面状に形成されている。
【００２５】
第２リア筐体３１は、図４、図５及び図８に示すように、細長の略矩形状に形成されている。第２リア筐体３１の上面は平面状に形成されている。第２リア筐体３１の下面（第２筐体３の下面）は、第１フロント筐体２２の上面（第１筐体２の上面）と嵌合し得るようにその長手方向に凸状に湾曲させて湾曲凸面４２として形成されている。第２リア筐体３１の両側部近傍であって略中央部から後端部近傍までの箇所には、その長手方向に延びる第２スライド案内溝４５が貫通してそれぞれ設けられている。これら第２スライド案内溝４５は、第１筐体２と第２筐体３とを重ね合わせたとき、突出部２８ａと対向する位置であると共に、突出部２８ａが挿入し得るように形成されている。第２スライド案内溝４５は、閉成状態のときに突出部２８ａが先端部側の端部に位置されると共に、開成状態のときに突出部２８ａが後端部側の端部に位置される寸法の長さで形成されている。第２スライド案内溝４５の第２リア筐体３１の下面側には、第２スライド片４５ａが設けられている。この第２スライド片４５ａは、湾曲凸面４２に沿って設けられている。また、第２リア筐体３１の長手方向の略中央部であって両側部と第２スライド案内溝４５との間で、かつ、第１スライド案内溝４３と対向する位置には、第１スライドピン４４を取り付けるための第１取付孔３８が設けられている。
【００２６】
第１スライドピン４４は、図４〜図６及び図１０に示すように、略有底円筒状に形成されている。第１スライドピン４４の底部には、例えば、ネジ１７によって第１スライドピン４４を第１取付孔３８に取り付けるための貫通孔４４ａが設けられている。第１スライドピン４４の後端部（底部側の端部）の外周は、端部にいくに連れて縮径されている。この第１スライドピン４４の後端部の径は、第１スライド片４３ａ間の長さより短い、例えば、若干短い寸法で形成されていることが好ましい。また、第１スライドピン４４の外周の径は、第１スライド片４３ａ間の長さより長く、第１スライド案内溝４３の幅より短い、例えば、若干短い寸法で形成されて、第１スライドピン４４を第１取付孔３８に取り付けたとき第１スライドピン４４の側部が第１スライド片４３ａに接するようになっていることが好ましい。
【００２７】
また、第２スライドピン４６は、図５及び図１１に示すように、略算盤珠状に形成されている。第２スライドピン４６には、貫通孔４６ａが設けられている。この第２スライドピン４６の両端部の外周は、端部にいくに連れて縮径されている。この第２スライドピン４６の後端部の径は、第２スライド片４５ａ間の長さより短い、例えば、若干短い寸法で形成されていることが好ましい。また、第２スライドピン４６の外周の径は、第２スライド片４５ａ間の長さより長く、第２スライド案内溝４５の幅より短い、例えば、若干短い寸法で形成されて、第２スライドピン４６を第２取付孔２８に取り付けたとき第２スライドピン４６の側部が第２スライド片４５ａに接するようになっていることが好ましい。
【００２８】
図４、図５及び図７に示すように、第１フロント筐体２２の上面に第２リア筐体３１の下面を嵌合するように重ね合わせてから、第１フロント筐体２２の下面から第１スライド案内溝４３内に第１スライドピン４４を挿入して、第１スライドピン４４の貫通孔４４ａと第１取付孔３８とを軸あわせした状態で第１スライドピン４４の後端部を第２リア筐体３１の下面に当接させ、この第１スライドピン４４内からネジ１７を貫通孔４４ａを介して第１取付孔３８に螺合させて第１スライドピン４４を第２リア筐体３１の下面に取り付ける。これにより、第１フロント筐体２２の第１スライド案内溝４３（第１スライド片４３ａ）と第２リア筐体３１に取り付けた第１スライドピン４４とが係合して、第１筐体２と第２筐体３とが閉成状態と開成状態との間で湾曲凹面４１及び湾曲凸面４２の長手方向に沿って側面視湾曲状にスライドするようになっている。
【００２９】
また、第１フロント筐体２２の上面に第２リア筐体３１の下面を嵌合するように重ね合わせてから、第２リア筐体３１の上面から第２スライド案内溝４５内に第２スライドピン４６を挿入して、第２スライドピン４６の貫通孔４６ａと第２取付孔２８とを軸あわせした状態で第２スライドピン４６の一端部を第１フロント筐体２２の上面に当接させ、この第２スライドピン４６の貫通孔４６ａを介してネジ１８を第２取付孔２８に螺合させて第２スライドピン４６を第１フロント筐体２２の上面に取り付ける。これにより、第２リア筐体３１の第２スライド案内溝４５（第２スライド片４５ａ）と第１フロント筐体２２に取り付けた第２スライドピン４６とが係合して、第１筐体２と第２筐体３とが閉成状態と開成状態との間で湾曲凹面４１及び湾曲凸面４２の長手方向に沿って側面視湾曲状にスライドするようになっている。このように、第２筐体３に取り付けた第１スライドピン４４が第１筐体２の第１スライド案内溝４３に係合すると共に、第１筐体２に取り付けた第２スライドピン４６が第２筐体３の第２スライド案内溝４５に係合するために、第１筐体２と第２筐体３とが閉成状態と開成状態との間でがたつくことなく側面視湾曲状にスライドするようになっている。
【００３０】
すなわち、第１筐体２の上面が第２筐体３で覆われた状態が閉成状態である（図１（ａ）、図２（ａ）及び図３（ａ）参照。）。このとき、スライダー部材８がベース部材７のガイド溝６の下方の端部に位置され、この閉成状態から、例えば、第１筐体２に対して第２筐体３を第１筐体２の後端部側からその先端部側にスライドさせてスライダー部材８をガイド溝６の上方の端部に位置させて、第１筐体２の上面のキーボード部１１ａ等が露出した状態が開成状態である（図１（ｂ）、図２（ｃ）及び図３（ｃ）参照。）。例えば、これら閉成状態と開成状態との間の中間（略中間を含む。）の状態が中立状態である（図２（ｂ）及び図３（ｂ）参照。）。
【００３１】
本発明に係る開閉装置Ａを構成するセミオート手段５は、図２、図４及び図６に示すように、第１筐体２に固着され、長手方向に貫通するガイド溝６を有するベース部材７と、ガイド溝６にスライド係合すると共に、第２筐体３に係合するスライダー部材８と、ベース部材７と第１筐体２との間に設けられ、一端部がベース部材７に連結されると共に他端部がスライダー部材８に連結され、このスライダー部材８をベース部材７に対して所定の開閉位置から閉成方向又は開成方向にスライド付勢する付勢手段９とを備えて構成されている。
【００３２】
ベース部材７は、図２、図４〜図６に示すように、第１フロント筐体２２の凹部２５内のベース部材装着凹部２５ａに装着されて固着される。ベース部材７は、細長の略矩形状に形成されている基板部７１と、基板部７１の両側端部を基板部７１に対して直交する第１筐体２の下面側に略直角に折り曲げ、さらに先端部を内側に略直角に折り曲げた側部７２とを有している。すなわち、ベース部材７は、例えばステンレス製の金属プレートの両側端部を略コ字状に折り曲げてプレス加工することにより形成されている。また、ベース部材７は、合成樹脂等の成型品であってもよい。
【００３３】
基板部７１の両側部７２の近傍には、ガイド溝６がそれぞれ設けられている。これらガイド溝６は、基板部７１の長手方向（第１筐体又は第２筐体３の長手方向）にその一端部近傍から他端部近傍までの２箇所に貫通して設けられている。なお、本実施の形態では、ガイド溝６を２つ設けた場合について説明するがこれに限定されるものではない。また、基板部７１の幅方向及び長手方向の略中央部には、２つのスプリング取付部材１５を取り付けるための２つの取付孔７５が設けられている。スプリング取付部材１５は、図４〜図６及び図１３に示すように、例えば、円板状に形成されている。このスプリング取付部材１５の一方の端面には、略同軸上に取付孔７５に挿入して取り付けるための装着部１５ａが設けられている。スプリング取付部材１５の他方の端面には、例えば、円盤部１５ｃと円盤部１５ｃより径が小さい棒状の連結部１５ｄとからなる取付部１５ｂが設けられており、この取付部１５ｂに付勢手段９の一端部が取り付けられる。
【００３４】
スライダー部材８は、図２、図４〜図６に示すように、ガイド溝６にスライド係合すると共に、第２筐体３に係合するものである。スライダー部材８は、例えば、２つのガイド溝６にそれぞれ個別に貫通した状態で係合する２つのスライダーピン８１と、これらスライダーピン８１の他端部に連結され、これらスライダーピン８１間の外周にローラ部材８３が回転可能に設けられていると共に、ベース部材７の幅方向に延びるコネクションロッド８２とからなることが好ましい。
【００３５】
スライダーピン８１は、図２、図４〜図６及び図１２に示すように、ガイド溝６にそれぞれ個別にその長手方向にスライド可能に係合し得るものである。スライダーピン８１は、例えば、ガイド溝６に挿入されて摺動する摺動部８１ａと、ベース部材７に当接するストッパ部８１ｂと、付勢手段９の一端部が取り付けられる付勢取付部８１ｃとからなる。摺動部８１ａは、ガイド溝６を貫通する長さの略円柱状に形成されている。摺動部８１ａの径は、ガイド溝６の幅の長さより若干短い寸法で形成されていることが好ましい。ストッパ部８１ｂは、一種のフランジ部であり、リング状に摺動部８１ａの一端部に設けられている。ストッパ部８１ｂの径は、ガイド溝６の幅より大きな寸法で形成されている。付勢取付部８１ｃは、ストッパ部８１ｂの端面に同軸上に設けられている。付勢取付部８１ｃは、例えば、円盤部８１ｄと円盤部８１ｄより径が小さい棒状の連結部８１ｅとからなる。
【００３６】
また、摺動部８１ａには、コネクションロッド８２を取り付けるためのロッド取付孔８１ｆが設けられている。ロッド取付孔８１ｆは、スライダーピン８１の摺動部８１ａをガイド溝６に貫通させてストッパ部８１ｂをベース部材７に当接させたとき、ガイド溝６から貫通した摺動部８１ａに設けられている。２つのガイド溝６にそれぞれスライダーピン８１を取り付け、これらスライダーピン８１のロッド取付孔８１ｆにそれぞれコネクションロッド８２を貫通させることにより、スライダー部材８がガイド溝６にスライド係合されてベース部材７に取り付けられるようになっている。コネクションロッド８２は、ベース部材７の幅より長く、第２リア筐体３１に取り付けた２つの第１スライドピン４４と両端部が係合する寸法の長さの棒状で形成されていることが好ましい。
【００３７】
第１スライドピン４４には、コネクションロッド８２と係合してスライダー部材８と共にスライド移動するためのスライド係合部５１が設けられている。スライド係合部５１は、特に限定されず、例えば、第１スライドピン４４の周面の対向する２箇所に、その下端部から略中央部までをＵ字状に切り欠いて形成されていることが好ましい。この第１スライドピン４４を２つ、第２リア筐体３１の幅方向に対して２つのスライド係合部５１が対向する方向が平行となるように、第２リア筐体３１の各第１取付孔３８にそれぞれ取り付け、これら第１スライドピン４４のスライド係合部５１にコネクションロッド８２を挿通させることにより、第１スライドピン４４とコネクションロッド８２とはガイド溝６に沿ってスライド移動するときに、ベース部材７に対して第１スライドピン４４が側面視湾曲状にスライド移動し得るようになっている。
【００３８】
なお、ベース部材７を第１筐体２に取り付けると共にスライダー部材８を第２筐体３に係合させて第１筐体２と第２筐体３とを互いにスライド可能にしたが、ベース部材７を第２筐体に取り付けると共にスライダー部材８を第１筐体に係合させて第１筐体と第２筐体とを互いにスライド可能に係合するようにしてもよい。また、スライダーピン８１は、ガイド溝６に直接スライド可能に係合させるようにしたが、ガイド溝６にガイド部材を設けてこのガイド部材にスライダーピン８１をスライド可能に係合させるようにしてもよい。ガイド部材は、例えば、プラスチック等の合成樹脂により成型されるが、耐久性の観点からその他の材料、例えば、焼結金属品、プレス加工品等により形成されていてもよい。このように、ガイド溝６にベース部材とは別体のガイド部材を設けることにより、スライダーピン及びスライダー部材の動作フィーリングの改善、及びガタの吸収を容易に図ることができる利点がある。
【００３９】
付勢手段９は、図２、図４及び図６に示すように、スライダー部材８をベース部材７に対して所定の開閉位置、例えば、中立位置（中立状態）から閉成方向又は開成方向にスライド付勢するものであり、ベース部材７と第１筐体２との間に設けられている。付勢手段９は、ベース部材７に対してスライダー３を所定の開閉位置から開成方向又は閉成方向にスライド付勢できれば特に限定されないが、例えば、第１筐体２の厚さ方向の長さより幅方向の寸法の長さの方を長く形成してこの幅方向の付勢力を強くするように構成したものであることが好ましい。
【００４０】
この付勢手段９としては、例えば、一般のスプリングの線材をトーションバネのように１重巻した巻込み部９１ａを７つ有するスプリング９１等が挙げられる。このスプリング９１の両端部は、例えば、円形状や湾曲状、又は円弧状、図示例では円弧状に形成して、スプリング取付部材の取付部とスライダーピン８１の付勢取付部８１ｃとにそれぞれ回動可能に枢嵌されている。このスプリング９１は、直線状になるように付勢力が作用するものであり、例えば、ベース部材７に対するスライダー部材８を開閉位置に応じて巻込み部９１ａが移動し、中立状態から閉成状態までの間のときにはスライダー部材８を閉成方向（開成状態から閉成状態になる方向）にスライド付勢し、中立状態から開成状態までの間のときにはスライダー部材８を開成方向（閉成状態から開成状態になる方向）にスライド付勢するように動作するものである。
【００４１】
次に本発明に係る開閉装置Ａを用いた携帯電話機１の作用を説明する。
【００４２】
携帯電話機１が使用されていない状態では、図１（ａ）、図２（ａ）及び図３（ａ）に示すように、第１筐体２と第２筐体３が互いに重なり合った閉成状態である。このとき、２つのスプリング９１の付勢力によって、ベース部材７に対してスライダー部材８が閉成方向にスライド付勢されているので、第１筐体２と第２筐体３が閉成状態に保持されている。なお、この閉成状態をより確実に維持するために、ロック機構を設けるようにしてもよい。
【００４３】
この携帯電話機１で通話等を行うには、例えば、第１筐体２を固定した状態で第２筐体３を開成方向に押してスライドさせる。すると、スプリング９１の両端部の位置が近づきつつ、スプリング９１に荷重が作用してスプリング９１の付勢力に抗してスプリング９１が携帯電話機１の幅方向に略湾曲状に変形する。
【００４４】
そして、図２（ｂ）及び図３（ｂ）に示すように、スプリング９１の一端部がガイド溝６の略中央部に位置されると、スプリング９１の両端部の位置が携帯電話機１の幅方向に略並んでその両端部の間隔が最小になって、スプリング９１が最大に湾曲する。このとき、スプリング９１の両端部の位置が携帯電話機１の幅方向に略並んでいるために、スプリング９１による付勢力が携帯電話機１の略幅方向に作用しているので、第１筐体２に対して第２筐体３が自動的にスライド移動し難い。この状態が中立状態である。
【００４５】
中立状態を過ぎると、スプリング９１の一端部がガイド溝６の中央部より前端部側に移動してスプリング９１の両端部の位置が携帯電話機１の長手方向に変わる。すると、スプリング９１の付勢力によってスプリング９１の両端部が互いに離間する方向に付勢されるので、第１筐体２に対して第２筐体３が開成方向に自動的にスライド移動して、図１（ｂ）、図２（ｃ）及び図３（ｃ）に示すように、第１筐体２と第２筐体３が開成状態になり、その状態に保持される。これにより、第１筐体２の上面に設けたキーボード部が露出するので、通話及びキーボード操作が可能となり、携帯電話機１を用いて通話等を行える状態になる。なお、この開成状態をより確実に維持するために、ロック機構を設けるようにしてもよい。よって、閉成状態から開成状態にスライド移動させるときに半自動でスライド動作を行えることになる。
【００４６】
このようにスライド移動させるとき、第１筐体２の上面が湾曲凹面４１として形成されていると共に第２筐体３の下面が湾曲凸面として形成され、これら第１筐体２の湾曲凹面４１と第２筐体３の湾曲凸面４２とが互いに重なった状態でその長手方向にこれら面に沿って側面視湾曲状にスライドするので、開成状態では、携帯電話機１の全体が湾曲状態となる。このため、第１筐体２の上面の後端部近傍にマイク部が設けられていると共に、第２筐体３の上面の前端部近傍にスピーカー部が設けられているために、通話を行うときには、マイク部を口元に、スピーカー部を耳元にそれぞれ近づけることができる。また、第２筐体３の上面にディスプレイ部３ａが設けられていると共に、第１筐体２の上面にキーボード部が設けられているために、ディスプレイ部３ａに表示された画像を見ながらキーボード部の操作がし易くなり、使い勝手が向上する。
【００４７】
第２筐体３を第１筐体２に対して元の位置（閉成状態）に戻すには、例えば、第１筐体２を固定した状態で第２筐体３を閉成方向に押してスライドさせる。すると、スプリング９１の両端部の位置が最小となって中立状態を過ぎると、スプリング９１の一端部がガイド溝６の中央部より後端部側に移動してスプリング９１の両端部の位置が携帯電話機１の長手方向に変わる。すると、スプリング９１の付勢力によってスプリング９１の両端部が互いに離間する方向に付勢されるので、第１筐体２に対して第２筐体３が閉成方向に自動的にスライド移動して、第１筐体２と第２筐体３が閉成状態に保持される。よって、開成状態から閉成状態にスライド移動させるときに半自動でかつ側面視湾曲状のスライド動作を行えることになる。
【００４８】
このように、スライダー部材８のスライダーピン８１がガイド溝６にそれぞれ個別に設けられているために、スライダー部材８の全体的な幅を短くすることができる。その結果、スライダー部材８の長さ（スライド方向の長さ）を短くすることができ、全体的な長さを短くできる。
【００４９】
また、スプリング９１は、ベース部材７と第１筐体２との間に設けられているために、全体的な厚さを薄くすることができる。すなわち、１つのスライダーをベース部材の２つのガイド溝にスライド係合させて、これらスライダーとベース部材との間に付勢手段を設けると、ベース部材と付勢手段の間及びスライダーと付勢手段の２つのクリアランスを設けなければならず、厚さが厚くなる。これに対して、ベース部材７と第１筐体２との間にスプリング９１を設けることで、ベース部材７とスプリング９１の間のクリアランスのみを設ければよいので、全体的な厚さを薄くすることができる。
【００５０】
したがって、本発明に係る開閉装置Ａを用いた携帯電話機１は、使い勝手が向上する上に全体的な長さを短くできると共にその厚さを薄くすることができる。
【００５１】
また、スプリング９１は、第１筐体２の厚さ方向の長さより幅方向の寸法の長さの方を長く形成してこの幅方向の付勢力を強くするように構成したので、携帯電話機１の全体的な厚さを薄くすることができる。すなわち、トーションスプリングやコンプレッションスプリングを用いると、それらのスプリングの付勢力は、コイルの径で決まるために、スプリングの厚さが厚くなるので、厚さが厚くなる。これに対して、本発明に係るスプリング９１は、第１筐体２の厚さ方向の長さより幅方向の寸法の長さの方を長く形成してこの幅方向の付勢力を強くするように構成したので、幅が大きくなるだけ厚さを薄くすることができる。その結果、携帯電話機１の薄型をより図ることができる。
【００５２】
また、スライダー部材８と第１スライドピン４４とは、携帯電話機１の厚さ方向（第１スライドピン４４の軸方向でもある。）に延びる略Ｕ字状に形成されたスライド係合部５１にコネクションロッド８２が挿通されて係合しているために、ガイド溝６に沿ってスライダー部材８が直線状にスライドしたとき、コネクションロッド８２が第１スライドピン４４に対してその軸方向に移動しつつ第１スライドピン４４が湾曲凹面４１に沿って湾曲状にスライドする。その結果、第１筐体２に対して第２筐体３を湾曲状にスムーズにスライドさせることができる。すなわち、例えば、スライダー部材を湾曲状に形成してこのスライダー部材８に沿ってスライダー部材を湾曲状にスライドさせる場合、スプリングでは湾曲状にスライダー部材を付勢し難いと共に、スライダー部材を湾曲状に精度よく形成し難いので、第１筐体２に対して第２筐体３を湾曲状にスムーズにスライドさせることができない。これに対して、スライダー部材８が平板状のベース部材７のガイド溝６に沿って直線状にスライドするために、スプリング９１の付勢力が確実にスライダー部材８に作用するので、第１筐体２に対して第２筐体３を湾曲状にスムーズにスライドさせることができる。
【産業上の利用可能性】
【００５３】
以上説明したように本発明に係る開閉装置は、一方の筐体の上面を湾曲凹面として形成すると共に他方の筐体の下面を湾曲凸面として形成し、これら一方の筐体の湾曲凹面と他方の筐体の湾曲凸面とが互いに重なった状態でその長手方向にこれら面に沿って側面視湾曲状にスライドするスライド手段を備えたので、使い勝手が向上し、また、ベース部材と一方の筐体との間に付勢手段を設けたので、全体的な厚さを薄くすることができ、かつ、スライダー部材がガイド溝にそれぞれ個別に係合する２つのスライダーピンを有するので、全体的な長さを短くすることができることから、携帯機器の中でも特に携帯電話機に用いるものとして好適なものである。
【図面の簡単な説明】
【００５４】
【図１】本発明に係る開閉装置を用いた携帯機器の一例を示す斜視図で、（ａ）は携帯機器の閉成状態を示す図、（ｂ）は携帯機器の開成状態を示す図である。
【図２】本発明に係る開閉装置の要部を示す平面図で、（ａ）は閉成状態を示す図、（ｂ）は中間状態を示す図、（ｃ）は開成状態を示す図である。
【図３】本発明に係る開閉装置を用いた携帯機器の第１筐体と第２筐体との開閉状態を示す概略側断面図で、（ａ）は閉成状態を示す図、（ｂ）は中間状態を示す図、（ｃ）は開成状態を示す図である。
【図４】本発明に係る開閉装置を用いた携帯機器の一例を示す概略断面図である。
【図５】本発明に係る開閉装置を用いた携帯機器の一例を示す分解斜視図である。
【図６】本発明に係る開閉装置のセミオート手段の一例を示す分解斜視図である。
【図７】本発明に係る第１リア筐体の一例を示す図で、（ａ）は斜視図、（ｂ）は平面図、（ｃ）は側面図、（ｄ）は裏面図である。
【図８】本発明に係る第２フロント筐体の一例を示す図で、（ａ）は斜視図、（ｂ）は平面図、（ｃ）は側面図、（ｄ）は裏面図である。
【図９】本発明に係るスプリングの一例を示す図で、（ａ）は平面図、（ｂ）は側面図である。
【図１０】本発明に係る第１スライドピンの一例を示す図で、（ａ）は斜視図、（ｂ）は側面図である。
【図１１】本発明に係る第２スライドピンの一例を示す図で、（ａ）は斜視図、（ｂ）は側面図である。
【図１２】本発明に係るスライダーピンの一例を示す図で、（ａ）は斜視図、（ｂ）は側面図である。
【図１３】本発明に係るスプリング取付部材の一例を示す図で、（ａ）は斜視図、（ｂ）は側面図である。
【符号の説明】
【００５５】
Ａ  開閉装置
１  携帯電話機
２  第１筐体
３  第２筐体
４  スライド手段
５  セミオート手段
６  ガイド溝
７  ベース部材
８  スライダー部材
９  付勢手段
４１  湾曲凹面
４２  湾曲凸面
４３  第１スライド案内溝
４４  第１スライドピン
４５  第２スライド案内溝
４６  第２スライドピン
８１  スライダーピン
８２  コネクションロッド
９１  スプリング
【図１】
2007104144.tif 000003
【図２】
2007104144.tif 000004
【図３】
2007104144.tif 000005
【図４】
2007104144.tif 000006
【図５】
2007104144.tif 000007
【図６】
2007104144.tif 000008
【図７】
2007104144.tif 000009
【図８】
2007104144.tif 000010
【図９】
2007104144.tif 000011
【図１０】
2007104144.tif 000012
【図１１】
2007104144.tif 000013
【図１２】
2007104144.tif 000014
【図１３】
2007104144.tif 000015